(57)【要約】【課題】干渉波の抑圧性能を劣化させずに装置規模を削減することができる干渉波抑圧装置を提供する。【解決手段】主アンテナ信号のＡ／Ｄ変換部８と、補助アンテナ信号のＡ／Ｄ変換部１１と、Ｎ本の素子アンテナから補助アンテナを選別するＳＷ部９と、素子番号で指定された素子アンテナを補助アンテナとして選別するようＳＷ部９を制御するＳＷ制御部１０と、Ａ／Ｄ変換部１１の出力信号に基づいて、ＳＷ部９が選別した各素子アンテナの受信電力を測定する電力測定部１２と、電力測定部１２が測定した受信電力値が閾値を超える素子アンテナの素子番号をＳＷ制御部１０に指定する電力ＤＢ部１３を備える。【選択図】図１
2014236322.tif 000002
【特許請求の範囲】
【請求項１】
複数の素子アンテナから構成されるアレーアンテナ部を備え、前記複数の素子アンテナの一部を干渉波抑圧処理に用いる補助アンテナとして選択する干渉波抑圧装置において、
前記複数の素子アンテナのそれぞれに接続され、各素子アンテナが受信した受信信号を移相する複数の移相器からなる第１の移相器群、前記第１の移相器群の各移相器による移相処理を制御する第１の位相制御部、前記複数の移相器のそれぞれに接続され、各移相器の出力信号を減衰する複数の減衰器からなる第１の減衰器群、前記第１の減衰器群の各減衰器による減衰処理を制御する第１の減衰制御部および前記第１の減衰器群の各減衰器の出力信号を合成する第１の合成部を有するＢＦＮ部と、
前記第１の合成部の出力信号をアナログ／デジタル変換する第１のＡ／Ｄ変換部と、
前記複数の素子アンテナより少ない数のＡ／Ｄ変換器からなる第２のＡ／Ｄ変換部と、
前記複数の素子アンテナの各受信信号を入力し、前記複数の素子アンテナの中から補助アンテナとして選別した素子アンテナの分岐先を前記第２のＡ／Ｄ変換部のＡ／Ｄ変換器に切り替える第１のＳＷ部と、
素子識別情報で指定された素子アンテナを補助アンテナとして選別するよう前記第１のＳＷ部を制御する第１のＳＷ制御部と、
前記第２のＡ／Ｄ変換部のＡ／Ｄ変換器の出力信号に基づいて前記第１のＳＷ部が選別した各素子アンテナの受信電力を測定する第１の電力測定部と、
前記第１の電力測定部が測定した各受信電力を素子アンテナの素子識別情報に対応付けて記憶し、前記受信電力を記憶した素子アンテナのうち、受信電力値が閾値を超える素子アンテナの素子識別情報を前記第１のＳＷ制御部に指定する電力データベース部と、
前記第１のＡ／Ｄ変換部の出力信号および前記第２のＡ／Ｄ変換部の各Ａ／Ｄ変換器の出力信号に基づいて、干渉波成分を抑圧するサイドローブキャンセラ荷重を算出する荷重算出部と、
前記荷重算出部が算出したサイドローブキャンセラ荷重を、前記第２のＡ／Ｄ変換部の各Ａ／Ｄ変換器の出力信号に乗算する荷重乗算部と、
前記第２のＡ／Ｄ変換部の各Ａ／Ｄ変換器に対する前記荷重乗算部の各演算結果を合成する第２の合成部と、
前記第１のＡ／Ｄ変換部の出力信号から前記第２の合成部の出力信号を減算して最終的な出力信号として出力する減算部とを備えたことを特徴とする干渉波抑圧装置。
【請求項２】
前記第１のＳＷ部は、前記補助アンテナとして選別した素子アンテナの分岐先を、前記第２のＡ／Ｄ変換部における特定のＡ／Ｄ変換器のみに切り替えることを特徴とする請求項１記載の干渉波抑圧装置。
【請求項３】
前記第１のＳＷ部は、受信ビームの指向方向が揃った素子アンテナをそれぞれまとめた素子アンテナ群の中から補助アンテナとして選別した素子アンテナの分岐先を、前記第２のＡ／Ｄ変換部のＡ／Ｄ変換器に切り替えることを特徴とする請求項１記載の干渉波抑圧装置。
【請求項４】
前記第１のＳＷ部は、受信ビームの指向方向が揃った素子アンテナをそれぞれまとめた素子アンテナ群を、素子アンテナ群ごとの受信エリアが隣接する順に選別して、選別した素子アンテナ群の中から補助アンテナとして選別した素子アンテナの分岐先を、前記第２のＡ／Ｄ変換部のＡ／Ｄ変換器に切り替えることを特徴とする請求項１記載の干渉波抑圧装置。
【請求項５】
前記第１のＡ／Ｄ変換部の出力信号に基づいて前記複数の素子アンテナの受信電力値を測定する第２の電力測定部を備え、
前記電力データベース部は、前記第２の電力測定部が測定した受信電力を素子アンテナの素子識別情報に対応付けて記憶し、前記受信電力が前記第１のＡ／Ｄ変換部を飽和させる場合、飽和がなくなるまで素子アンテナの素子識別情報を選択して前記第１の減衰制御部に指定し、
前記第１の減衰制御部は、前記電力データベース部から素子識別情報で指定された素子アンテナの受信信号を減衰するよう前記第１の減衰器群の各減衰器による減衰処理を制御することを特徴とする請求項１から請求項４のうちのいずれか１項記載の干渉波抑圧装置。
【請求項６】
前記電力データベース部は、前記第２の電力測定部が測定した受信電力が前記第１のＡ／Ｄ変換部を飽和させる場合、飽和がなくなるまで受信電力値が大きい順に素子アンテナの素子識別情報を前記第１の減衰制御部に指定し、
前記第１の減衰制御部は、前記電力データベース部から素子識別情報で指定された素子アンテナの受信信号を減衰するよう前記第１の減衰器群の各減衰器による減衰処理を制御することを特徴とする請求項５記載の干渉波抑圧装置。
【請求項７】
前記第１の減衰器群の各減衰器の出力先を、短絡または前記第１の合成部に切り替える第２のＳＷ部と、
前記第２のＳＷ部の切り替えを制御する第２のＳＷ制御部と、
前記第１のＡ／Ｄ変換部の出力信号に基づいて前記複数の素子アンテナの受信電力値を測定する第２の電力測定部を備え、
前記電力データベース部は、前記第２の電力測定部が測定した各受信電力を、素子アンテナの素子識別情報に対応付けて記憶し、前記受信電力が前記第１のＡ／Ｄ変換部を飽和させる場合、飽和がなくなるまで素子アンテナの素子識別情報を選択して前記第２のＳＷ制御部に指定し、
前記第２のＳＷ制御部は、前記電力データベース部から素子識別情報で指定された素子アンテナの受信信号を短絡するよう前記第２のＳＷ部の切り替えを制御することを特徴とする請求項１から請求項４のうちのいずれか１項記載の干渉波抑圧装置。
【請求項８】
前記電力データベース部は、前記第２の電力測定部が測定した受信電力が前記第１のＡ／Ｄ変換部を飽和させる場合、飽和がなくなるまで受信電力値が大きい順に素子アンテナの素子識別情報を選択して前記第２のＳＷ制御部に指定し、
前記第２のＳＷ制御部は、前記電力データベース部から素子識別情報で指定された素子アンテナの受信信号を短絡するよう前記第２のＳＷ部の切り替えを制御することを特徴とする請求項７記載の干渉波抑圧装置。
【請求項９】
前記第１のＳＷ部が選別した素子アンテナの受信信号を減衰する複数の減衰器からなる第２の減衰器群と、
前記第２の減衰器群の各減衰器による減衰処理を制御する第２の減衰制御部とを備え、
前記電力データベース部は、前記第１の電力測定部が測定した受信電力が前記第２のＡ／Ｄ変換部を飽和させる場合、飽和がなくなるまで素子アンテナの素子識別情報を選択して前記第２の減衰制御部に指定し、
前記第２の減衰制御部は、前記電力データベース部から素子識別情報で指定された素子アンテナの受信信号を減衰するよう前記第２の減衰器群の各減衰器による減衰処理を制御することを特徴とする請求項１から請求項８のうちのいずれか１項記載の干渉波抑圧装置。
【請求項１０】
前記電力データベース部は、前記第１の電力測定部が測定した受信電力が前記第２のＡ／Ｄ変換部を飽和させる場合に、飽和がなくなるまで受信電力値が大きい順に素子アンテナの素子識別情報を選択して前記第２の減衰制御部に指定し、
前記第２の減衰制御部は、前記電力データベース部から素子識別情報で指定された素子アンテナの受信信号を減衰するよう前記第２の減衰器群の各減衰器による減衰処理を制御することを特徴とする請求項９記載の干渉波抑圧装置。
【請求項１１】
前記第２のＡ／Ｄ変換部の各Ａ／Ｄ変換器の出力信号に基づいて、干渉波の到来方向を推定する干渉波到来方向推定部を備え、
前記干渉波到来方向推定部が推定した干渉波の到来方向情報に基づいて、干渉波が抑圧された主アンテナの受信ビームを形成するように、前記第１の位相制御部が、前記第１の移相器群の各移相器による移相処理を制御し、前記第１の減衰制御部が、前記第１の減衰器群の各減衰器による減衰処理を制御することを特徴とする請求項１から請求項１０のうちのいずれか１項記載の干渉波抑圧装置。
【発明の詳細な説明】
【技術分野】
【０００１】
この発明は、複数の素子アンテナを並べたアレーアンテナで観測した干渉波を抑圧する干渉波抑圧装置に関する。
【背景技術】
【０００２】
干渉波抑圧装置は、主アンテナおよびこれに近接して配置された複数の補助アンテナを有しており、主アンテナとともに補助アンテナに受信された所望の入射信号と同時に入射してくる干渉波信号を抑圧する。例えば、特許文献１には、複数の素子アンテナからなり、所望波方向にビームを向けるように荷重が調整されたアレーアンテナを備えた干渉波抑圧装置が開示されている。この干渉波抑圧装置には、全ての素子アンテナに受信機およびＡ／Ｄ変換器が設けられており、ＤＢＦ（Ｄｉｇｉｔａｌ  Ｂｅａｍ  Ｆｏｒｍｉｎｇ）によって、素子アンテナの一部を補助アンテナとして使用するか、主アンテナ用の受信ビームと補助アンテナ用の受信ビームとを信号処理で形成している（特許文献１、実施の形態３参照）。
【０００３】
また、特許文献１には、さらに、指向性を有する補助アンテナを別に設けた干渉波抑圧装置についても開示されている。この干渉波抑圧装置には、補助アンテナのビーム方向をおおまかに個々の干渉波の到来方向に向けるために、干渉波の到来方向を計測した結果に基づいて、補助アンテナの指向方向を干渉波到来方向に向けるアンテナ指向方向調整装置が設けられている（特許文献１、実施の形態４参照）。
【先行技術文献】
【特許文献】
【０００４】
【特許文献１】特開２０００−３２３９１５号公報
【発明の概要】
【発明が解決しようとする課題】
【０００５】
特許文献１に代表される従来の技術では、補助アンテナを別途設けず、ＤＢＦによって補助アンテナの機能を持たせる場合、各素子アンテナにＡ／Ｄ変換器などを設ける必要があるため、装置の規模が増大してコストアップに繋がるという課題があった。
また、指向性のある補助アンテナを別途設ける場合には、補助アンテナに加えて、アンテナ指向方向調整装置を別途設けねばならず、同様に装置の規模が増大してコストアップに繋がるという課題があった。
【０００６】
例えば、特許文献１に開示されるような干渉波抑圧方法では、一般に“受信チャンネル数−１”までの数の干渉波を抑圧できる。すなわち、抑圧したい干渉波の数に所望の値が決まっていれば、受信チャンネルの数は、“上記所望の値＋１”まででよいことになる。
一方、素子アンテナ数は、受信チャンネル数より多いため、全ての素子アンテナに受信チャンネルを割り当てると、受信チャンネルにおいてアナログデータをデジタルデータに変換するためのＡ／Ｄ変換器が多数必要となる。
【０００７】
この発明は、上記のような課題を解決するためになされたもので、干渉波の抑圧性能を劣化させずに装置規模を削減することができる干渉波抑圧装置を得ることを目的とする。
【課題を解決するための手段】
【０００８】
この発明に係る干渉波抑圧装置は、複数の素子アンテナから構成されるアレーアンテナ部を備え、複数の素子アンテナの一部を干渉波抑圧処理に用いる補助アンテナとして選択する干渉波抑圧装置において、複数の素子アンテナのそれぞれに接続され、各素子アンテナが受信した受信信号を移相する複数の移相器からなる第１の移相器群、第１の移相器群の各移相器による移相処理を制御する第１の位相制御部、複数の移相器のそれぞれに接続され、各移相器の出力信号を減衰する複数の減衰器からなる第１の減衰器群、第１の減衰器群の各減衰器による減衰処理を制御する第１の減衰制御部および第１の減衰器群の各減衰器の出力信号を合成する第１の合成部を有するＢＦＮ部と、第１の合成部の出力信号をアナログ／デジタル変換する第１のＡ／Ｄ変換部と、複数の素子アンテナより少ない数のＡ／Ｄ変換器からなる第２のＡ／Ｄ変換部と、複数の素子アンテナの各受信信号を入力し、複数の素子アンテナの中から補助アンテナとして選別した素子アンテナの分岐先を第２のＡ／Ｄ変換部のＡ／Ｄ変換器に切り替える第１のＳＷ部と、素子識別情報で指定された素子アンテナを補助アンテナとして選別するよう第１のＳＷ部を制御する第１のＳＷ制御部と、第２のＡ／Ｄ変換部のＡ／Ｄ変換器の出力信号に基づいて第１のＳＷ部が選別した各素子アンテナの受信電力を測定する第１の電力測定部と、第１の電力測定部が測定した各受信電力を、素子アンテナの素子識別情報に対応付けて記憶し、受信電力を記憶した素子アンテナのうち、受信電力値が閾値を超える素子アンテナの素子識別情報を第１のＳＷ制御部に指定する電力データベース部と、第１のＡ／Ｄ変換部の出力信号および第２のＡ／Ｄ変換部の各Ａ／Ｄ変換器の出力信号に基づいて、干渉波成分を抑圧するサイドローブキャンセラ荷重を算出する荷重算出部と、荷重算出部が算出したサイドローブキャンセラ荷重を、第２のＡ／Ｄ変換部の各Ａ／Ｄ変換器の出力信号に乗算する荷重乗算部と、第２のＡ／Ｄ変換部の各Ａ／Ｄ変換器に対する荷重乗算部の各演算結果を合成する第２の合成部と、第１のＡ／Ｄ変換部の出力信号から第２の合成部の出力信号を減算して最終的な出力信号として出力する減算部とを備えたことを特徴とする。
【発明の効果】
【０００９】
この発明によれば、干渉波の抑圧性能を劣化させずに装置規模を削減することができるという効果がある。
【図面の簡単な説明】
【００１０】
【図１】この発明の実施の形態１に係る干渉波抑圧装置の構成を示すブロック図である。
【図２】実施の形態１におけるＳＷ部の構成を示すブロック図である。
【図３】実施の形態１におけるＳＷ部で素子アンテナ＃１に着目した場合のＡ／Ｄ変換器との接続関係を示す図である。
【図４】実施の形態１におけるＳＷ部で素子アンテナ＃Ｎに着目した場合のＡ／Ｄ変換器との接続関係を示す図である。
【図５】実施の形態１に係る干渉波抑圧装置の動作を示すフローチャートである。
【図６】この発明の実施の形態２に係る干渉波抑圧装置の構成を示すブロック図である。
【図７】実施の形態２におけるＳＷ部の構成を示すブロック図である。
【図８】実施の形態２におけるＳＷ部で任意の２つの素子アンテナに着目した場合のＡ／Ｄ変換器との接続関係を示す図である。
【図９】実施の形態２における素子アンテナと補助アンテナ信号のＡ／Ｄ変換器との接続関係を示す図である。
【図１０】実施の形態２に係る干渉波抑圧装置の動作を示すフローチャートである。
【図１１】この発明の実施の形態３に係る干渉波抑圧装置の構成を示すブロック図である。
【図１２】実施の形態３に係る干渉波抑圧装置の動作を示すフローチャートである。
【図１３】この発明の実施の形態４に係る干渉波抑圧装置の構成を示すブロック図である。
【図１４】実施の形態４に係る干渉波抑圧装置の動作を示すフローチャートである。
【図１５】この発明の実施の形態５に係る干渉波抑圧装置の構成を示すブロック図である。
【図１６】実施の形態５に係る干渉波抑圧装置の動作を示すフローチャートである。
【発明を実施するための形態】
【００１１】
実施の形態１．
図１は、この発明の実施の形態１に係る干渉波抑圧装置の構成を示す図である。図１に示す干渉波抑圧装置は、Ｎ（Ｎは、２以上の自然数）本の素子アンテナからなるアレーアンテナ部１を備え、Ｎ本の素子アンテナの一部を干渉波抑圧処理に用いる補助アンテナとして選択する。この発明に係る干渉波抑圧装置においては、アレーアンテナ部１のＮ本の素子アンテナのうち、受信電力が大きい素子アンテナのみ（干渉波を強く受信している素子アンテナのみ）を受信チャンネルに接続する。これにより、受信チャンネルにおいて、アナログデータからデジタルデータに変換するためのＡ／Ｄ変換器の数を削減している。
この干渉波抑圧装置は、図１に示すように、アレーアンテナ部１、ＢＦＮ（Ｂｅａｍ  Ｆｏｒｍｉｎｇ  Ｎｅｔｗｏｒｋ）部２、Ａ／Ｄ変換部８，１１、ＳＷ部９、ＳＷ制御部１０、電力測定部１２、電力ＤＢ（データベース）部１３、荷重算出部１４、荷重乗算部１５、合成部１６、および演算器１７を備えて構成される。
【００１２】
アレーアンテナ部１は、Ｎ本の素子アンテナ＃１〜＃Ｎから構成されるアレーアンテナであり、隣り合う素子アンテナが同様の方向に指向性を有している。
なお、“同様の方向”とは、完全に一致する方向ではなく、僅かな方向の違いを含んでいる。このため、アレーアンテナ部１において、近隣の素子アンテナ群（以下、ブロックと呼ぶ）では、各素子アンテナ＃１〜＃Ｎの指向方向は僅かに違いながらも同様な方向に揃っており、離れた位置の素子アンテナ間（例えば、異なるブロック間）では異なる方向に指向性が設定されている。これにより、アレーアンテナ部１全体では、素子アンテナが様々な方向を指向した状態となる。
【００１３】
このように、この発明に係るアレーアンテナ部１においては、Ｎ本の素子アンテナが、上述のような指向性を有しているため、Ｎ本の素子アンテナで観測特性は一致していない。例えば、ある素子アンテナでは、ある方向から電波が到来した際に受信電力が大きくなり、別の素子アンテナでは、別の方向から電波が到来した際に受信電力が大きくなる場合がある。このため、この発明では、素子アンテナの受信電力を測定し、受信電力値がある閾値を超えた素子アンテナ（干渉波を強く受信している素子アンテナ）のみを補助アンテナとして選別する。これにより、補助アンテナの受信チャンネルにおいて、アナログデータからデジタルデータに変換するためのＡ／Ｄ変換器の個数を、全素子アンテナ数のＮから“所望の干渉波抑圧数＋１”まで削減することができる。
【００１４】
ＢＦＮ部２は、移相器群３、減衰器群４、位相制御部５、減衰制御部６および合成部７を有して構成される。移相器群３は、アレーアンテナ部１のＮ本の素子アンテナ＃１〜＃Ｎのそれぞれに接続され、各素子アンテナ＃１〜＃Ｎが受信した受信信号を移相するＮ個の移相器からなる第１の移相器群である。減衰器群４は、移相器群３のＮ個の移相器のそれぞれに接続され、各移相器の出力信号を減衰するＮ個の減衰器からなる第１の減衰器群である。位相制御部５は、移相器群３の各移相器による移相処理を制御する第１の位相制御部であり、減衰制御部６は、減衰器群４の各減衰器による減衰処理を制御する第１の減衰制御部である。合成部７は、減衰器群４の各減衰器の出力信号を合成する第１の合成部である。
【００１５】
Ａ／Ｄ変換部８は、合成部７の出力信号（アレーアンテナ部１の全ての素子アンテナで形成された主アンテナの受信ビーム）をアナログ／デジタル変換する第１のＡ／Ｄ変換部である。なお、合成部７の出力信号は、Ｎ本の素子アンテナ＃１〜＃Ｎの受信信号を移相および減衰した信号を合成した信号である。
【００１６】
ＳＷ部９は、アレーアンテナ部１のＮ本の素子アンテナ＃１〜＃Ｎの各受信信号を入力（入力数Ｎ）し、ＳＷ制御部１０の制御によりＮ本の素子アンテナの中からＫ（Ｋ＜Ｎ）本の素子アンテナを補助アンテナとして選別し、選別した素子アンテナの分岐先をＡ／Ｄ変換部１１の各Ａ／Ｄ変換器＃１〜＃Ｋ（出力数Ｋ）に切り替える第１のＳＷ部である。
ＳＷ制御部１０は、素子番号で指定された素子アンテナを、補助アンテナとして選別するようＳＷ部９を制御する第１のＳＷ制御部である。
例えば、ＳＷ制御部１０が、補助アンテナとして選別すべき素子アンテナ（Ａ／Ｄ変換部１１に受信信号を入力すべき素子アンテナ）の素子番号（素子識別情報）をＳＷ部９に出力し、ＳＷ部９が、ＳＷ制御部１０から入力した素子番号の素子アンテナの受信信号をＡ／Ｄ変換部１１の各Ａ／Ｄ変換器＃１〜＃Ｋに入力する。
なお、素子識別情報は、上述した各素子アンテナに付与した通し番号である素子番号でもよいが、個々の素子アンテナに固有なＩＤ情報であってもかまわない。以降では、素子番号を使用する場合を例に挙げて説明する。
【００１７】
Ａ／Ｄ変換部１１は、Ｎ本の素子アンテナよりも少ないＫ（Ｋ＜Ｎ）個のＡ／Ｄ変換器＃１〜＃Ｋから構成される第２のＡ／Ｄ変換部である。Ａ／Ｄ変換器＃１〜＃Ｋは、入力側にＳＷ部９が接続され、出力側に電力測定部１２、荷重算出部１４および荷重乗算部１５が接続されており、ＳＷ部９により補助アンテナとして選別された素子アンテナの受信信号をデジタル信号に変換する。
電力測定部１２は、Ａ／Ｄ変換部１１のＡ／Ｄ変換器＃１〜＃Ｋの出力信号に基づいて、ＳＷ部９が選別した各素子アンテナの受信電力を測定する第１の電力測定部である。
【００１８】
電力ＤＢ部１３は、電力測定部１２が測定した各受信電力を素子アンテナの素子番号に対応付けて記憶するとともに、受信電力を記憶した素子アンテナの中から、受信電力値が閾値を超える素子アンテナの素子番号を、補助アンテナとする素子アンテナの素子番号としてＳＷ制御部１０に指定する。
例えば、電力測定部１２が、アレーアンテナ部１の全ての素子アンテナのうち、ＳＷ部９がＫ本ずつ選別した素子アンテナの受信電力を順に測定する。このとき、電力ＤＢ１３は、電力測定部１２が測定した受信電力を入力し、ＳＷ制御部１０から受信電力が測定された素子アンテナの素子番号を入力して、各受信電力を素子番号に対応付けて記憶する。
電力測定部１２により全ての素子アンテナの受信電力が測定されると、電力ＤＢ部１３は、記憶した全ての素子アンテナの受信電力のうち、所定の閾値を超える受信電力に対応する素子番号をＳＷ制御部１０に指定する。これにより、受信電力が所定の閾値を超えている、すなわち干渉波を強く受信している素子アンテナを補助アンテナとして選別させることができる。
【００１９】
荷重算出部１４は、Ａ／Ｄ変換部８の出力信号およびＡ／Ｄ変換部１１の各Ａ／Ｄ変換器＃１〜＃Ｋの出力信号に基づいて、干渉波成分を抑圧するサイドローブキャンセラ荷重ｗ１〜ｗｋを算出する。
荷重乗算部１５は、荷重算出部１４が算出したサイドローブキャンセラ荷重ｗ１〜ｗｋを、Ａ／Ｄ変換部１１の各Ａ／Ｄ変換器の出力信号に乗算する荷重乗算部である。
合成部１６は、Ａ／Ｄ変換部１１の各Ａ／Ｄ変換器＃１〜＃Ｋに対する荷重乗算部１５の各演算結果を合成する第２の合成部である。
演算器１７は、Ａ／Ｄ変換部８の主アンテナの出力信号から、合成部１６の出力信号を減算して最終的な出力信号として出力する減算部である。
【００２０】
図２は、実施の形態１におけるＳＷ部の構成を示すブロック図である。図２において、ＳＷ部９は、Ｎ本の素子アンテナ＃１〜＃Ｎの各受信信号を入力し、Ｎ本の素子アンテナの一部（Ｋ本の素子アンテナ）を補助アンテナとして選別して、選別した素子アンテナの受信信号の出力先をＡ／Ｄ変換部１１の各Ａ／Ｄ変換器＃１〜＃Ｋに切り替える。
なお、図２において、太線は、素子アンテナの出力とＡ／Ｄ変換器の入力とが接続していることを示しており、点線は、接続可能であることを示している。
すなわち、ＳＷ部９では、Ｎ本の素子アンテナ＃１〜＃Ｎにおける任意の素子アンテナがＡ／Ｄ変換部１１のいずれのＡ／Ｄ変換器＃１〜＃Ｋにも接続可能である。
【００２１】
例えば、図３は、素子アンテナ＃１がＡ／Ｄ変換器＃Ｋに接続されており、点線で示すように、素子アンテナ＃１は、Ａ／Ｄ変換器＃Ｋ以外に、Ａ／Ｄ変換器＃１〜Ａ／Ｄ変換器＃Ｋ−１にも接続可能である。
また、図４は、素子アンテナ＃ＮがＡ／Ｄ変換器＃１に接続された場合であるが、点線で示すように、素子アンテナ＃Ｎは、Ａ／Ｄ変換器＃１以外に、Ａ／Ｄ変換器＃２〜Ａ／Ｄ変換器＃Ｋに接続可能である。
【００２２】
次に動作について説明する。
図５は、実施の形態１に係る干渉波抑圧装置の動作を示すフローチャートである。
まず、ＳＷ制御部１０は、ＳＷ部９に指示して、アレーアンテナ部１の素子アンテナのうち、Ｋ本ずつの素子アンテナの出力先をＡ／Ｄ変換部１１に切り替える。これにより、Ａ／Ｄ変換部１１のＡ／Ｄ変換器＃１〜＃Ｋが、素子アンテナの受信信号をデジタル信号に変換する。
電力測定部１２は、Ａ／Ｄ変換部１１のＡ／Ｄ変換器＃１〜＃Ｋの出力信号に基づいてＳＷ部９が選別した素子アンテナの受信電力を測定する。電力測定部１２による電力測定結果およびＳＷ制御部１０がＳＷ部９に選別させた素子アンテナの素子番号は、電力ＤＢ部１３に入力されて蓄積される。
ステップＳＴ１においては、上述した処理が、アレーアンテナ部１における全ての素子アンテナ＃１〜＃Ｎの受信電力の測定が終わるまで繰り返される。
【００２３】
次に、ＳＷ制御部１０は、ステップＳＴ１で電力ＤＢ部１３に蓄積された電力値情報に基づいて、受信電力値が所定の閾値を超えている素子アンテナの素子番号を最大でＫ個分選別し、これらの素子番号をＳＷ部９に出力する。
ＳＷ部９は、アレーアンテナ部１の素子アンテナ＃１〜＃Ｎの中から、ＳＷ制御部１０から素子番号で指定された素子アンテナを補助アンテナとして選別し、選別した素子アンテナの受信信号をＡ／Ｄ変換部１１のＡ／Ｄ変換器＃１〜＃Ｋに出力する（ステップＳＴ２）。
【００２４】
荷重算出部１４は、Ａ／Ｄ変換部１１のＡ／Ｄ変換器＃１〜＃Ｋから補助アンテナ信号として出力される信号と、Ａ／Ｄ変換部８から主アンテナ信号として出力される信号とを用いて、サイドローブキャンセラ荷重ｗ１〜ｗｋを算出する（ステップＳＴ３）。
次に、荷重乗算部１５は、Ａ／Ｄ変換部１１のＡ／Ｄ変換器＃１〜＃Ｋから出力される信号に対して荷重算出部１４が算出した荷重ｗ１〜ｗｋを乗算する（ステップＳＴ４）。
【００２５】
合成部１６は、ステップＳＴ４で荷重乗算部１５が荷重を乗算した補助アンテナ信号を合成する（ステップＳＴ５）。
この後、演算器１７は、Ａ／Ｄ変換部８の主アンテナの出力信号から、合成部１７の出力信号を減算して最終的な出力信号として出力する（ステップＳＴ６）。これによって、減算器１７から干渉波成分が抑圧された主アンテナ信号が出力される。
【００２６】
以上のように、この実施の形態１によれば、Ｎ本の素子アンテナ＃１〜＃Ｎのそれぞれに接続され、各素子アンテナで受信された受信信号を移相するＮ個の移相器からなる移相器群３、移相器群３の各移相器による移相処理を制御する位相制御部５、Ｎ個の移相器のそれぞれに接続され、各移相器の出力信号を減衰するＮ個の減衰器からなる減衰器群４、減衰器群４の各減衰器による減衰処理を制御する減衰制御部６および減衰器群４の各減衰器の出力信号を合成する合成部７を有するＢＦＮ部２と、合成部７の出力信号をアナログ／デジタル変換するＡ／Ｄ変換部８と、Ｎ本の素子アンテナ＃１〜＃Ｎより少ないＫ個のＡ／Ｄ変換器＃１〜＃ＫからなるＡ／Ｄ変換部１１と、Ｎ本の素子アンテナの各受信信号を入力し、Ｎ本の素子アンテナ＃１〜＃Ｎの中から補助アンテナとして選別した素子アンテナの分岐先をＡ／Ｄ変換部１１のＡ／Ｄ変換器に切り替えるＳＷ部９と、素子番号で指定された素子アンテナを補助アンテナとして選別するようＳＷ部９を制御するＳＷ制御部１０と、Ａ／Ｄ変換部１１の各Ａ／Ｄ変換器＃１〜＃Ｋの出力信号に基づいて、ＳＷ部９が選別した各素子アンテナの受信電力を測定する電力測定部１２と、電力測定部１２が測定した各受信電力を素子アンテナの素子番号に対応付けて記憶し、受信電力を記憶した素子アンテナのうち、受信電力値が閾値を超える素子アンテナの素子番号をＳＷ制御部１０に指定する電力ＤＢ部１３と、Ａ／Ｄ変換部８の出力信号およびＡ／Ｄ変換部１１の各Ａ／Ｄ変換器の出力信号に基づいて、干渉波成分を抑圧するサイドローブキャンセラ荷重ｗ１〜ｗｋを算出する荷重算出部１４と、荷重算出部１４が算出したサイドローブキャンセラ荷重を、Ａ／Ｄ変換部１１の各Ａ／Ｄ変換器の出力信号に乗算する荷重乗算部１５と、Ａ／Ｄ変換部１１の各Ａ／Ｄ変換器に対する荷重乗算部１５の各演算結果を合成する合成部１６と、Ａ／Ｄ変換部８の出力信号から合成部１６の出力信号を減算して最終的な出力信号として出力する演算器１７とを備える。
このように主アンテナとなり得るアレーアンテナ部１の複数の素子アンテナの中から、受信電力値が閾値を超えた素子アンテナ（干渉波を強く受信している素子アンテナ）のみを補助アンテナとして選別することで、補助アンテナを別途設ける必要がなく、Ａ／Ｄ変換器の数も削減できるため、干渉波の抑圧性能を劣化させずに装置規模を削減することが可能である。
【００２７】
実施の形態２．
図６は、この発明の実施の形態２に係る干渉波抑圧装置の構成を示すブロック図である。図６において、実施の形態２に係る干渉波抑圧装置は、実施の形態１におけるＳＷ部９をＳＷ部９Ａに変更したものである。ＳＷ部９Ａは、アレーアンテナ部１の素子アンテナ＃１〜＃Ｎのうち、補助アンテナとして選別した素子アンテナの分岐先を、Ａ／Ｄ変換部１１における特定のＡ／Ｄ変換器のみに切り替える第１のＳＷ部である。
【００２８】
図７は、実施の形態２におけるＳＷ部の構成を示すブロック図である。図７において、太線は、素子アンテナの出力とＡ／Ｄ変換器の入力とが接続していることを示しており、点線は、接続可能であることを示している。
ＳＷ部９Ａは、Ｎ本の素子アンテナ＃１〜＃Ｎの各受信信号を入力し、Ｎ本の素子アンテナの中から補助アンテナとして選別した素子アンテナの受信信号の出力先を、Ａ／Ｄ変換部１１における特定のＡ／Ｄ変換器のみに切り替えている。
例えば、図７においては、素子アンテナ＃１は、Ａ／Ｄ変換部１１におけるＡ／Ｄ変換器＃Ｋのみに接続される。なお、図７で点線で示すように、素子アンテナ＃Ｌ（Ｎ＞Ｌ）についてもＡ／Ｄ変換器＃１のみに接続される。また、素子アンテナ＃２はＡ／Ｄ変換器＃２のみに接続され、素子アンテナ＃ＮはＡ／Ｄ変換器＃１のみに接続される。
【００２９】
図８は、ＳＷ部９Ａで任意の２つの素子アンテナに着目した場合のＡ／Ｄ変換器との接続関係を示す図である。図８の例では、素子アンテナ＃Ｎの分岐先がＡ／Ｄ変換器＃１に切り替わって接続されており、このＡ／Ｄ変換器＃１には、素子アンテナ＃Ｌ（Ｎ＞Ｌ）も接続可能である。
実施の形態１におけるＳＷ部９は、Ｎ本の素子アンテナ＃１〜＃Ｎにおける任意の素子アンテナがＡ／Ｄ変換部１１のいずれのＡ／Ｄ変換器＃１〜＃Ｋに接続可能である。
一方、ＳＷ部９Ａでは、補助アンテナとして選別した素子アンテナの分岐先をＡ／Ｄ変換部１１における特定のＡ／Ｄ変換器のみに切り替える。これにより、ＳＷ部の規模を、Ｎ対１の切り替えを行うスイッチをＫ個有する構成から（Ｎ／Ｋ）対１の切り替えを行うスイッチをＫ個有する構成に削減することができる。
【００３０】
図７，８のようにＳＷ部９Ａを構成してＳＷ部の規模を削減する場合、補助アンテナとして選別されたある素子アンテナの受信信号は、Ａ／Ｄ変換部１１の特定のＡ／Ｄ変換器にしか入力できない。この制約のため、上記実施の形態１の図５で示したフローチャートのステップＳＴ２において、最大Ｋ本の素子アンテナが補助アンテナとして選別された場合、素子アンテナが接続するＡ／Ｄ変換器が重複する可能性がある。この場合、適切な補助アンテナを選別することができず、干渉波を十分に抑圧できない。
【００３１】
図９は、実施の形態２における素子アンテナと補助アンテナ信号のＡ／Ｄ変換器との接続関係を示す図である。図９において、１〜１０は、Ａ／Ｄ変換部１１のＡ／Ｄ変換器を示しており、例えば、Ａ／Ｄ変換器＃１が“１”、Ａ／Ｄ変換器＃２が“２”、Ａ／Ｄ変換器＃１０が“１０”である。
上述したように補助アンテナとして選別した素子アンテナの分岐先をＡ／Ｄ変換部１１における特定のＡ／Ｄ変換器のみに切り替える場合、素子アンテナが接続するＡ／Ｄ変換器が重複する可能性がある。
【００３２】
そこで、図９のように、ＳＷ部９Ａが、受信ビームの指向方向が揃った素子アンテナをそれぞれまとめた素子アンテナ群（以下、ブロックと呼ぶ）の中から補助アンテナとして選別した素子アンテナの分岐先を、Ａ／Ｄ変換部１１のＡ／Ｄ変換器に切り替える。
このように受信ビームの指向方向が揃った近隣の素子アンテナの分岐先を、Ａ／Ｄ変換部１１における特定のＡ／Ｄ変換器のみに切り替えるよう設定しておくことで、素子アンテナが接続するＡ／Ｄ変換器が重複することを防止できる。
【００３３】
また、ＳＷ部９Ａが、受信ビームの指向方向が揃った素子アンテナをそれぞれまとめたブロックを、ブロックごとの受信エリアが隣接する順に選別して、選別した素子アンテナ群の中から補助アンテナとして選別した素子アンテナの分岐先を、Ａ／Ｄ変換部１１のＡ／Ｄ変換器に切り替えてもよい。
このような切り替えを行う場合に、受信電力値に応じて最大Ｋ本の素子アンテナを補助アンテナとして選別する際に、例えば、ブロック＃Ａの素子アンテナ＃１とブロック＃Ｃの素子アンテナ＃Ｎが補助アンテナとして選別され、これらの双方がＡ／Ｄ変換部１１のＡ／Ｄ変換器＃１に接続すべき素子アンテナである場合を考える。
この場合、素子アンテナ＃１と素子アンテナ＃Ｎが競合するため、Ａ／Ｄ変換器＃１に接続すべき素子アンテナを選択できない。
【００３４】
そこで、ブロック＃Ａの素子アンテナとブロック＃Ｃの素子アンテナとの各受信電力を比較して、ブロック＃Ｃの素子アンテナよりもブロック＃Ａの素子アンテナの受信電力の方が大きければ、図９に示すように、ブロック＃Ａにおいて、素子アンテナ＃１の代わりに、ブロック内で素子アンテナ＃１に近接している素子アンテナ＃２を選別する。
このように選別する理由は、近接している素子アンテナであれば、双方の受信ビームが重なっているため、補助アンテナとして十分に干渉波を受信していると考えられるからである。また、受信電力の大きい方の素子アンテナを代替する素子アンテナを選別する方が干渉波の受信電力の低下も小さく済む。
【００３５】
なお、複数のブロックで受信電力が大きい場合には、１つのブロックから選択する素子アンテナの数に上限を設ける。例えば、Ａ／Ｄ変換器がＫ個で、２つのブロックが対象になるならば、１つのブロックから選択する素子アンテナ数の上限をＫ／２とする。
一方のブロックでＫ／２個の素子アンテナを選択した場合、別のブロックでは未だ選択されていない素子アンテナから選択する。
【００３６】
次に動作について説明する。
図１０は、実施の形態２に係る干渉波抑圧装置の動作を示すフローチャートであり、図１０において、ステップＳＴ１、ステップＳＴ２からステップＳＴ６までの処理は図５と同様であるので説明を省略する。
ステップＳＴ１−１において、ＳＷ制御部１０は、ステップＳＴ１で電力ＤＢ部１３に蓄積された電力値情報に基づいて、受信電力値が所定の閾値を超えている素子アンテナの素子番号を最大でＫ個分選別し、これらの素子番号をＳＷ部９Ａに出力する。
このとき、Ａ／Ｄ変換部１１のＡ／Ｄ変換器に接続できる素子アンテナが重複している場合、ＳＷ制御部１０は、重複している素子アンテナのうち、受信電力値の大きい素子アンテナの方を、このアンテナに近接しかつ他の補助アンテナと接続可能なＡ／Ｄ変換器が重複していない素子アンテナを再び選別する。
【００３７】
以上のように、この実施の形態２によれば、ＳＷ部９Ａが、受信ビームの指向方向が揃った素子アンテナをそれぞれまとめたブロック（素子アンテナ群）の中から補助アンテナとして選別した素子アンテナの分岐先をＡ／Ｄ変換部１１のＡ／Ｄ変換器に切り替える。このようにすることで、受信ビームの指向方向が揃った近隣の素子アンテナの分岐先を、Ａ／Ｄ変換部１１における特定のＡ／Ｄ変換器のみに切り替えるよう設定しておくことで、素子アンテナが接続するＡ／Ｄ変換器が重複することを防止できる。
【００３８】
また、この実施の形態２によれば、ＳＷ部９Ａが、受信ビームの指向方向が揃った素子アンテナをそれぞれまとめたブロックを、ブロックごとの受信エリアが隣接する順に選別して、選別したブロックの中から補助アンテナとして選別した素子アンテナの分岐先を、Ａ／Ｄ変換部１１のＡ／Ｄ変換器に切り替える。このようにすることで、十分な干渉波の抑圧性能を維持しつつ、ＳＷ部９Ａの規模を削減できる。これにより、装置の規模やコストが削減することが可能である。
【００３９】
実施の形態３．
図１１は、この発明の実施の形態３に係る干渉波抑圧装置の構成を示すブロック図である。図１１において、実施の形態３に係る干渉波抑圧装置では、主アンテナ信号のＡ／Ｄ変換部８および補助アンテナ信号のＡ／Ｄ変換部１１が飽和することを避けるため、図１に示した実施の形態１の構成に対して電力測定部１８を追加し、電力ＤＢ部１３の代わりに電力ＤＢ部１３Ａを設け、Ａ／Ｄ変換部１１の代わりにＡ／Ｄ変換部１１Ａを設ける。
【００４０】
電力測定部１８は、Ａ／Ｄ変換部８の出力信号（主アンテナ信号）に基づいて、Ｎ本の素子アンテナ＃１〜＃Ｎの受信電力値、すなわち主アンテナ信号の受信電力値を測定する第２の電力測定部である。
電力ＤＢ部１３Ａは、電力測定部１８が測定した受信電力を素子アンテナの素子番号に対応付けて記憶し、電力測定部１８が測定した受信電力がＡ／Ｄ変換部８を飽和させる場合、飽和がなくなるまで素子アンテナの素子番号を選択して減衰制御部６に指定する。
減衰制御部６は、電力ＤＢ部１３Ａから素子番号で指定された素子アンテナの受信信号を減衰するよう減衰器群４の各減衰器による減衰処理を制御する。
【００４１】
Ａ／Ｄ変換部１１Ａは、図１と同様に、Ｎ本の素子アンテナ＃１〜＃Ｎより少ないＫ個のＡ／Ｄ変換器を有し、さらに減衰器群１９と減衰制御部２０を備える。
減衰器群１９は、ＳＷ部９が選別した素子アンテナの受信信号を、Ａ／Ｄ変換器に入力する前に減衰するＫ個の減衰器からなる第２の減衰器群である。
また、減衰制御部２０は、減衰器群１９の各減衰器による減衰処理を制御する第２の減衰制御部である。
【００４２】
次に動作について説明する。
図１２は、実施の形態３に係る干渉波抑圧装置の動作を示すフローチャートであり、図１２において、ステップＳＴ１からステップＳＴ６までの処理は、図５と同様であるので説明を省略する。
まず、電力測定部１８が、Ａ／Ｄ変換部８の出力信号に基づいて、Ｎ本の素子アンテナ＃１〜＃Ｎの受信電力を測定して電力ＤＢ部１３Ａに出力する（ステップＳＴ１ａ）。
次に、電力ＤＢ部１３Ａは、素子アンテナの素子番号に対応付けて記憶した受信電力のうち、主アンテナ信号のＡ／Ｄ変換部８が飽和する電力値があるか否かを判定する（ステップＳＴ２ａ）。
【００４３】
飽和する電力値がなければ（ステップＳＴ２ａ；ＮＯ）、ステップＳＴ１の処理に移行して、図５と同様の処理を実行する。
一方、飽和する電力値がある場合（ステップＳＴ２ａ；ＹＥＳ）、ＳＷ制御部１０が、ＳＷ部９に指示して、アレーアンテナ部１の素子アンテナのうち、Ｋ本ずつの素子アンテナの出力先をＡ／Ｄ変換部１１Ａに切り替える。
そして、電力測定部１２が、Ａ／Ｄ変換部１１ＡのＡ／Ｄ変換器＃１〜＃Ｋの出力信号に基づいて、ＳＷ部９が選別した素子アンテナの受信電力を測定する。
電力測定部１２による電力測定結果およびＳＷ制御部１０がＳＷ部９に選別させた素子アンテナの素子番号は、電力ＤＢ部１３Ａに入力されて蓄積される。
ステップＳＴ３ａにおいては、上述した処理が、アレーアンテナ部１における全ての素子アンテナ＃１〜＃Ｎの受信電力の測定が終わるまで繰り返される。
【００４４】
次に、電力ＤＢ部１３Ａは、電力測定部１２による電力測定結果のうち、補助アンテナ信号のＡ／Ｄ変換部１１Ａが飽和する電力値があるか否かを判定する（ステップＳＴ４ａ）。ここで、飽和する電力値がなければ（ステップＳＴ４ａ；ＮＯ）、ステップＳＴ７ａに移行する。
飽和する電力値がある場合（ステップＳＴ４ａ；ＹＥＳ）、電力ＤＢ部１３Ａは、受信電力が飽和している素子アンテナの素子番号を選択して減衰制御部２０に指定する。
減衰制御部２０は、電力ＤＢ部１３Ａから素子番号で指定された素子アンテナの受信信号を減衰するよう減衰器群１９の各減衰器による減衰処理を制御する（ステップＳＴ５ａ）。例えば、電力ＤＢ部１３Ａが、受信電力がＡ／Ｄ変換部１１Ａを飽和させる場合に、飽和がなくなるまで受信電力値が大きい順に素子アンテナの素子番号を選択して減衰制御部２０に指定して、減衰制御部２０が、電力ＤＢ部１３Ａから素子番号で指定された素子アンテナの受信信号を減衰するよう減衰器群１９の各減衰器の減衰処理を制御する。
このようにすることで、補助アンテナ信号のＡ／Ｄ変換部１１Ａが飽和して各素子アンテナの信号が正しくＡ／Ｄ変換できなくなることを防止できる。
【００４５】
減衰器群１９の各減衰器による減衰処理が実行されると、ＳＷ制御部１０が、ＳＷ部９に指示して、アレーアンテナ部１の素子アンテナのうち、Ｋ本ずつの素子アンテナの出力先をＡ／Ｄ変換部１１Ａに切り替える。
そして、電力測定部１２が、Ａ／Ｄ変換部１１ＡのＡ／Ｄ変換器＃１〜＃Ｋの出力信号に基づいて、ＳＷ部９が選別した素子アンテナの受信電力を再び測定する。
電力測定部１２による電力測定結果およびＳＷ制御部１０がＳＷ部９に選別させた素子アンテナの素子番号は、電力ＤＢ部１３Ａに入力されて蓄積される。
ステップＳＴ６ａにおいては、上述の処理が、アレーアンテナ部１における全ての素子アンテナ＃１〜＃Ｎの受信電力の測定が終わるまで繰り返される。
【００４６】
次に、電力ＤＢ部１３Ａは、素子番号に対応付けて記憶した電力測定部１８の電力測定結果のうち、Ａ／Ｄ変換部８が飽和する電力値を確認して、受信電力値が最も大きい素子アンテナの素子番号を減衰制御部６に指定する。
減衰制御部６は、電力ＤＢ部１３Ａから素子番号で指定された素子アンテナの受信信号を減衰するよう減衰器群４の各減衰器による減衰処理を制御する（ステップＳＴ７ａ）。これにより、指定された素子番号の素子アンテナの受信電力が減衰される。
【００４７】
続いて、電力測定部１８が、ステップＳＴ１ａと同様に、Ａ／Ｄ変換部８の出力信号に基づいて、Ｎ本の素子アンテナ＃１〜＃Ｎの受信電力を測定して電力ＤＢ部１３Ａに出力する（ステップＳＴ８ａ）。
次に、電力ＤＢ部１３Ａは、ステップＳＴ２ａと同様に、素子アンテナの素子番号に対応付けて記憶した受信電力のうち、主アンテナ信号のＡ／Ｄ変換部８が飽和する電力値があるか否かを判定する（ステップＳＴ９ａ）。
飽和する電力値がなければ（ステップＳＴ９ａ；ＮＯ）、ステップＳＴ２の処理に移行して、図５と同様の処理を実行する。
【００４８】
飽和する電力値がある場合（ステップＳＴ９ａ；ＹＥＳ）、電力ＤＢ部１３Ａが、ステップＳＴ７ａで減衰させている素子アンテナを除いた素子アンテナのうちで受信電力値が最も大きい素子アンテナの素子番号を減衰制御部６に指定する。
減衰制御部６は、電力ＤＢ部１３Ａから素子番号で指定された素子アンテナの受信信号を減衰するよう減衰器群４の各減衰器による減衰処理を制御する（ステップＳＴ１０ａ）。これにより、指定された素子番号の素子アンテナの受信電力が減衰される。
この後、電力測定部１８が、減衰後の主アンテナ信号の受信電力を測定し、Ａ／Ｄ変換部８が飽和している場合は、電力ＤＢ部１３Ａは、次に受信電力値が大きい素子アンテナの素子番号を減衰制御部６に指定する。この動作を主アンテナ信号のＡ／Ｄ変換部８が飽和しなくなるまで繰り返す。
【００４９】
なお、電力ＤＢ部１３Ａが、Ａ／Ｄ変換部８のＡ／Ｄ変換器が飽和する受信電力の素子アンテナがある場合に、主アンテナとなる素子アンテナ＃１〜＃Ｎの受信電力を一括して減衰するよう減衰制御部６に指示してもよい。
また、電力ＤＢ部１３ＡがＡ／Ｄ変換部１１ＡのＡ／Ｄ変換器が飽和する受信電力の素子アンテナがある場合に、補助アンテナとなる素子アンテナの受信電力を一括して減衰するよう減衰制御部２０に指示してもよい。
このようにすることでも、Ａ／Ｄ変換部８，１１Ａが飽和することを防止できる。
【００５０】
以上のように、この実施の形態３によれば、Ａ／Ｄ変換部８の出力信号に基づいて、Ｎ本の素子アンテナ＃１〜＃Ｎの受信電力値を測定する電力測定部１８を備え、電力ＤＢ部１３Ａが、電力測定部１８が測定した受信電力を素子アンテナの素子番号に対応付けて記憶するとともに、電力測定部１８が測定した受信電力がＡ／Ｄ変換部８を飽和させる場合、飽和がなくなるまで素子アンテナの素子番号を選択して減衰制御部６に指定し、減衰制御部６が、電力ＤＢ部１３Ａから素子番号で指定された素子アンテナの受信信号を減衰するよう減衰器群４の各減衰器による減衰処理を制御する。
このようにすることで、主アンテナ信号のＡ／Ｄ変換部８が飽和することを回避でき、十分な干渉波抑圧性能を維持しつつ、装置の規模やコストが削減することができる。
【００５１】
また、この実施の形態３によれば、電力ＤＢ部１３Ａが、電力測定部１８が測定した受信電力がＡ／Ｄ変換部８を飽和させる場合、飽和がなくなるまで受信電力値が大きい順に素子アンテナの素子番号を減衰制御部６に指定し、減衰制御部６が、電力ＤＢ部１３Ａから素子番号で指定された素子アンテナの受信信号を減衰するよう減衰器群４の各減衰器による減衰処理を制御する。このようにすることでも、主アンテナ信号のＡ／Ｄ変換部８が飽和することを回避できる。
【００５２】
さらに、この実施の形態３によれば、ＳＷ部９が選別した素子アンテナの受信信号を減衰するＫ個の減衰器からなる減衰器群１９と、減衰器群１９の各減衰器による減衰処理を制御する減衰制御部２０とを備え、電力ＤＢ部１３Ａが、電力測定部１２が測定した受信電力がＡ／Ｄ変換部１１Ａを飽和させる場合、飽和がなくなるまで素子アンテナの素子番号を選択して減衰制御部２０に指定し、減衰制御部２０が、電力ＤＢ部１３Ａから素子番号で指定された素子アンテナの受信信号を減衰するよう減衰器群１９の各減衰器による減衰処理を制御する。このようにすることで、補助アンテナ信号のＡ／Ｄ変換部１１Ａが飽和することを回避でき、十分な干渉波抑圧性能を維持しつつ、装置の規模やコストが削減することができる。
【００５３】
さらに、この実施の形態３によれば、電力ＤＢ部１３Ａが、電力測定部１２が測定した受信電力がＡ／Ｄ変換部１１Ａを飽和させる場合に、飽和がなくなるまで受信電力値が大きい順に素子アンテナの素子番号を選択して減衰制御部２０に指定し、減衰制御部２０が、電力ＤＢ部１３Ａから素子番号で指定された素子アンテナの受信信号を減衰するよう減衰器群１９の各減衰器による減衰処理を制御する。このようにすることでも、補助アンテナ信号のＡ／Ｄ変換部１１Ａが飽和することを回避できる。
【００５４】
実施の形態４．
図１３は、この発明の実施の形態４に係る干渉波抑圧装置の構成を示すブロック図である。図１３に示すように、実施の形態４に係る干渉波抑圧装置では、主アンテナ信号のＡ／Ｄ変換部８が飽和することを避けるため、図１１に示した実施の形態３の構成におけるＢＦＮ部２の代わりにＢＦＮ部２Ａを設けている。ＢＦＮ部２Ａは、ＢＦＮ部２に対してＳＷ部２１とＳＷ制御部２２を追加している。
【００５５】
ＳＷ部２１は、減衰器群４の各減衰器の出力先を短絡または合成部７に切り替える第２のＳＷ部である。減衰器群４の各減衰器に接続するＮ個のスイッチから構成される。
ＳＷ制御部２２は、ＳＷ部２１の切り替えを制御する第２のＳＷ制御部である。
電力ＤＢ部１３Ａは、電力測定部１８が測定した各受信電力を、素子アンテナの素子番号に対応付けて記憶し、電力測定部１８が測定した受信電力がＡ／Ｄ変換部８を飽和させる場合に、飽和がなくなるまで素子アンテナの素子番号を選択してＳＷ制御部２２に指定し、ＳＷ制御部２２は、電力ＤＢ部１３Ａから素子番号で指定された素子アンテナの受信信号を短絡するようにＳＷ部２１の切り替えを制御する。
【００５６】
次に動作について説明する。
図１４は、実施の形態４に係る干渉波抑圧装置の動作を示すフローチャートであって、図１４におけるステップＳＴ１からステップＳＴ６までの処理は図５と同様であり、ステップＳＴ１ａからステップＳＴ６ａ、ステップＳＴ８ａ，９ａの処理は、図１２と同様であるので説明を省略する。
【００５７】
ステップＳＴ７ｂにおいて、電力ＤＢ部１３Ａは、素子番号に対応付けて記憶した電力測定部１８の電力測定結果のうち、Ａ／Ｄ変換部８が飽和する電力値を確認して、受信電力値が最も大きい素子アンテナの素子番号をＳＷ制御部２２に指定する。
ＳＷ制御部２２は、電力ＤＢ部１３Ａから素子番号で指定された素子アンテナの受信信号を短絡するようにＳＷ部２１の切り替えを制御する。これにより、指定された素子番号の素子アンテナと合成部７との接続が短絡される。
この後、電力測定部１８が短絡後の主アンテナ信号の受信電力を測定し、Ａ／Ｄ変換部８が飽和している場合は、電力ＤＢ部１３Ａは、次に受信電力値が大きい素子アンテナの素子番号をＳＷ制御部２２に指定する。この動作を主アンテナ信号のＡ／Ｄ変換部８が飽和しなくなるまで繰り返す。
【００５８】
ステップＳＴ１０ｂにおいて、電力ＤＢ部１３Ａが、ステップＳＴ７ｂで短絡させている素子アンテナを除いた素子アンテナのうちで受信電力値が最も大きい素子アンテナの素子番号をＳＷ制御部２２に指定する。
ＳＷ制御部２２は、電力ＤＢ部１３Ａから素子番号で指定された素子アンテナの受信信号を短絡するようにＳＷ部２１の切り替えを制御する。これにより、指定された素子番号の素子アンテナと合成部７との接続が短絡される。
【００５９】
なお、電力ＤＢ部１３Ａが、Ａ／Ｄ変換部８のＡ／Ｄ変換器が飽和する受信電力の素子アンテナがある場合に、主アンテナとなる素子アンテナ＃１〜＃Ｎの受信電力を一括して合成部７との接続を短絡するようＳＷ制御部２２に指示してもよい。このようにすることでも、Ａ／Ｄ変換部８が飽和することを防止できる。
【００６０】
以上のように、この実施の形態４によれば、減衰器群４の各減衰器の出力先を短絡または合成部７に切り替えるＳＷ部２１と、ＳＷ部２１の切り替えを制御するＳＷ制御部２２と、Ａ／Ｄ変換部８の出力信号に基づいて、Ｎ本の素子アンテナの受信電力値を測定する電力測定部１８を備え、電力ＤＢ部１３Ａが、電力測定部１８が測定した各受信電力を、素子アンテナの素子番号に対応付けて記憶するとともに、電力測定部１８が測定した受信電力がＡ／Ｄ変換部８を飽和させる場合、飽和がなくなるまで素子アンテナの素子番号を選択してＳＷ制御部２２に指定する。そして、ＳＷ制御部２２が、電力ＤＢ部１３Ａから素子番号で指定された素子アンテナの受信信号を短絡するようＳＷ部２１の切り替えを制御する。このように構成することで、主アンテナ信号のＡ／Ｄ変換部８が飽和することを回避でき、十分な干渉波抑圧性能を維持しつつ、装置の規模やコストが削減することができる。
【００６１】
また、この実施の形態４によれば、電力ＤＢ部１３Ａが、電力測定部１８が測定した受信電力がＡ／Ｄ変換部８を飽和させる場合、飽和がなくなるまで受信電力値が大きい順に素子アンテナの素子番号を選択してＳＷ制御部２２に指定し、ＳＷ制御部２２が、電力ＤＢ部１３Ａから素子番号で指定された素子アンテナの受信信号を短絡するようＳＷ部２１の切り替えを制御する。このようにすることでも、主アンテナ信号のＡ／Ｄ変換部８が飽和することを回避できる。
【００６２】
実施の形態５．
図１５は、この発明の実施の形態５に係る干渉波抑圧装置の構成を示すブロック図である。図１５において、実施の形態５に係る干渉波抑圧装置では、主アンテナ信号のＡ／Ｄ変換部８が飽和することを避けるため、図１１に示した実施の形態３の構成に対して干渉波到来方向推定部２３を追加している。
干渉波到来方向推定部２３は、Ａ／Ｄ変換部１１ＡのＡ／Ｄ変換器の出力信号、つまり干渉波抑圧用に補助アンテナとして選別された素子アンテナの信号に基づいて、サイドローブキャンセラだけでなく、干渉波到来方向の推定を行う。到来方向推定方法としては、例えば、下記の参考文献１に記載されるＭＵＳＩＣ（ＭＵｌｔｉｐｌｅ  ＳＩｇｎａｌ  Ｃｌａｓｓｉｆｉｃａｔｉｏｎ）アルゴリズムなどを使用する。
（参考文献１）Ｒ．Ｏ．Ｓｃｈｍｉｄｔ，  “Ｍｕｌｔｉｐｌｅ  ｅｍｉｔｔｅｒ  ｌｏｃａｔｉｏｎ  ａｎｄ  ｓｉｇｎａｌ  ｐａｒａｍｅｔｅｒ  ｅｓｔｉｍａｔｉｏｎ”，  ＩＥＥＥ  Ｔｒａｎｓ．  Ａｎｔｅｎｎａｓ  ＆  Ｐｒｏｐａｇ．，ｖｏｌ．  ＡＰ−３４，  ｎｏ．３，  ｐｐ．２７６−２８０，  Ｍａｒｃｈ  １９８６．
【００６３】
到来方向推定結果はＢＦＮ部２に入力され、ＢＦＮ部２は、位相制御部５と減衰制御部６によって移相器群３と減衰器群４を制御し、干渉波が抑圧された主アンテナ受信ビームが形成される。これにより、主アンテナ信号のＡ／Ｄ変換部８が飽和することを避けている。通常の運用状態において、主アンテナ受信ビームは、電波源が存在する所望の範囲に利得を持つようにビームを形成する。例えば、通信機であれば、ユーザが居る範囲にビームを形成する。これに対して、干渉波を抑圧する際のビーム形成は、所望の範囲に利得を持ちつつ、干渉波の方向に利得を持たないように移相器群３と減衰器群４が制御される。
干渉波の方向は所望の範囲と無関係であり、所望の範囲の外である場合も所望の範囲内である場合もあり得る。特に、所望の範囲内に干渉波方向が存在する場合、所望の範囲内に利得の低い方向を作って干渉波を抑圧する。
【００６４】
次に動作について説明する。
図１６は、実施の形態５に係る干渉波抑圧装置の動作を示すフローチャートであって、図１６におけるステップＳＴ１ａからステップＳＴ６ａまでの処理は図１２と同様であるので説明を省略する。
ステップＳＴ７ｃにおいて、ＳＷ制御部１０は、ステップＳＴ６ａで電力ＤＢ部１３Ａに蓄積された電力値情報に基づいて、受信電力値が所定の閾値を超えている素子アンテナの素子番号を最大でＫ個分選別し、これらの素子番号をＳＷ部９に出力する。
ＳＷ部９は、アレーアンテナ部１の素子アンテナ＃１〜＃Ｎの中から、ＳＷ制御部１０から素子番号で指定された素子アンテナを補助アンテナとして選別し、選別した素子アンテナの受信信号をＡ／Ｄ変換部１１ＡのＡ／Ｄ変換器＃１〜＃Ｋに出力する。
【００６５】
ステップＳＴ８ｃにおいて、干渉波到来方向推定部２３は、ステップＳＴ７ｃで選別された素子アンテナの受信信号をＡ／Ｄ変換したＡ／Ｄ変換部１１Ａの出力信号に基づいて干渉波の到来方向を推定する。干渉波到来方向推定部２３が推定した干渉波到来方向情報は、ＢＦＮ部２に入力される。
ステップＳＴ９ｃにおいて、ＢＦＮ部２では、干渉波到来方向推定部２３が推定した干渉波の到来方向情報に基づいて、干渉波が抑圧された主アンテナの受信ビームを形成するように、位相制御部５が、移相器群３の各移相器による移相処理を制御し、減衰制御部６が、減衰器群４の各減衰器による減衰処理を制御する。これにより、干渉波を抑圧するような主アンテナ受信ビームが形成される。
【００６６】
以上のように、この実施の形態５によれば、Ａ／Ｄ変換部１１Ａの各Ａ／Ｄ変換器の出力信号に基づいて、干渉波の到来方向を推定する干渉波到来方向推定部２３を備え、干渉波到来方向推定部２３が推定した干渉波の到来方向情報に基づいて、干渉波が抑圧された主アンテナの受信ビームを形成するように、位相制御部５が移相器群３の各移相器による移相処理を制御し、減衰制御部６が減衰器群４の各減衰器による減衰処理を制御する。
このようにすることで、主アンテナ信号のＡ／Ｄ変換部８が飽和することを回避でき、十分な干渉波抑圧性能を維持しつつ、装置の規模やコストが削減することができる。
【００６７】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６８】
１  アレーアンテナ部、２，２Ａ  ＢＦＮ部、３  移相器群、４，１９  減衰器群、５  位相制御部、６，２０  減衰制御部、７，１６  合成部、８，１１，１１Ａ  Ａ／Ｄ変換部、９，９Ａ，２１  ＳＷ部、１０，２２  ＳＷ制御部、１２，１８  電力測定部、１３，１３Ａ  電力ＤＢ（データベース）部、１４  荷重算出部、１５  荷重乗算部、１７  演算器。
【図１】
2014236322.tif 000003
【図２】
2014236322.tif 000004
【図３】
2014236322.tif 000005
【図４】
2014236322.tif 000006
【図５】
2014236322.tif 000007
【図６】
2014236322.tif 000008
【図７】
2014236322.tif 000009
【図８】
2014236322.tif 000010
【図９】
2014236322.tif 000011
【図１０】
2014236322.tif 000012
【図１１】
2014236322.tif 000013
【図１２】
2014236322.tif 000014
【図１３】
2014236322.tif 000015
【図１４】
2014236322.tif 000016
【図１５】
2014236322.tif 000017
【図１６】
2014236322.tif 000018